(57)【要約】【課題】車両に備えられたアクティブフロントステア装置が旋回中に旋回方向と逆方向に前輪を操舵するときに車両を安定走行させるように後輪を操舵する制御装置を提供する。【解決手段】本発明は、ヨーレートを含む車両の運動状態量を検出する状態量検出手段13〜16，19と、検出された運動状態量に基づき指示トー角θＴＤを算出し、指示トー角に応じてアクチュエータの駆動により車両の左右後輪のトー角を変化させる後輪トー角制御手段120と、を備え、アクティブフロントステア装置18は、運転者の操舵量に基づく基本前輪舵角14と車両の運動状態量に基づく目標前輪舵角19とが一致しない場合、カウンタステア制御を行うとともに、カウンタステア信号を前記後輪トー角制御手段に出力し、後輪トー角制御手段は、カウンタステアが入力された場合、ヨーレートのゲインを増幅ｋ１させるとともに、指示トー角の設定ゲインを減少ｋ２させるように構成する。【選択図】図２
2010234821.tif 000002
【特許請求の範囲】
【請求項１】
アクティブフロントステア装置が搭載された車両に設けられ、前記車両の左右後輪を操舵制御する後輪操舵制御装置であって、
ヨーレートを含む前記車両の運動状態量を検出する状態量検出手段と、
検出された前記車両の運動状態量に基づき指示トー角を算出し、前記指示トー角に応じてアクチュエータの駆動により車両の左右後輪のトー角を変化させる後輪トー角制御手段と、を備え、
前記アクティブフロントステア装置は、運転者の操舵量に基づく基本前輪舵角と車両の運動状態量に基づく目標前輪舵角とが一致しない場合、カウンタステア制御を行うとともに、カウンタステア信号を前記後輪トー角制御手段に出力し、
前記後輪トー角制御手段は、前記カウンタステア信号が入力された場合、前記ヨーレートのゲインを増幅させるとともに、前記指示トー角の設定ゲインを減少させることを特徴とする後輪操舵制御装置。
【請求項２】
前記カウンタステア信号は、前記カウンタステア制御の制御量であり、
前記ヨーレートのゲインの増幅および前記指示トー角の設定ゲインの減少は、前記カウンタ制御の制御量に応じて実行されることを特徴とする請求項１に記載の後輪操舵制御装置。
【発明の詳細な説明】
【技術分野】
【０００１】
本発明は、自動車（以下、単に車両と記す）の後輪操舵制御装置に係り、詳しくはアクティブフロントステア装置を備えた車両が旋回中に、旋回方向と逆方向に前輪を操舵（カウンタステア）する制御がされるときに車両を安定走行させるように後輪を操舵する制御装置に関する。
【背景技術】
【０００２】
車両が旋回中に、旋回方向と逆方向に前輪が操舵（カウンタステア）されたときに、カウンタステアの操舵角と逆位相で後輪を操舵制御する技術が開示されている（特許文献１参照）。かかる技術によれば、カウンタステア時に後輪舵角が逆位相に操舵される量を増加させて、乗員の意図した車両挙動となるようにしている。一方、旋回中の車両の運動状態に応じて、車両の前輪を乗員のステアリング操作とは独立して操舵する、自動カウンタステア制御技術（アクティブフロントステア装置）が知られている。
【先行技術文献】
【特許文献】
【０００３】
【特許文献１】特開２００７−６９８４４号公報
【発明の概要】
【発明が解決しようとする課題】
【０００４】
車両が低速度で旋回するとき、後輪操舵制御装置は車両の後輪を前輪と逆位相に操舵し、旋回性の向上を図っている。そして、旋回中に車両の挙動が不安定となった場合は、検出したヨーレートをフィードバックすることで安定方向となるように後輪を操舵している。しかし、このヨーレートのフィードバック制御量が過大となったときには逆に車両の挙動を不安定にさせることおそれがあるため、ゲインは大きく増幅されないように構成されている。
【０００５】
一方、自動カウンタステア制御が行われた場合であって、自動カウンタステア制御中に乗員がステアリングを操舵したとき、前輪がカウンタステアとなる逆位相に操舵されない制御が行われる場合がある。
【０００６】
特許文献１に開示されている技術は、カウンタステアがなされるときにはカウンタステアの操舵角と逆位相で後輪を操舵制御し、さらに逆位相の操舵量を増加させている。しかしながら、自動カウンタステア制御の信号を検出したときに、前輪がカウンタステア方向に操舵されていない状態で後輪を逆位相に操舵する制御が実行された場合、車両がスピンするおそれがあった。
【０００７】
本発明は前記背景を鑑みてなされたもので、車両に備えられたアクティブフロントステア装置が車両の旋回中に旋回方向と逆方向に前輪を操舵（カウンタステア）する制御をするときに車両を安定走行させるように後輪を操舵する制御装置を提供することを目的とする。
【課題を解決するための手段】
【０００８】
本発明は、アクティブフロントステア装置が搭載された車両に設けられ、前記車両の左右後輪を操舵制御する後輪操舵制御装置である。この装置は、ヨーレートを含む前記車両の運動状態量を検出する状態量検出手段と、検出された前記車両の運動状態量に基づき指示トー角を算出し、前記指示トー角に応じてアクチュエータの駆動により車両の左右後輪のトー角を変化させる後輪トー角制御手段と、を備えている。前記アクティブフロントステア装置は、運転者の操舵量に基づく基本前輪舵角と車両の運動状態量に基づく目標前輪舵角とが一致しない場合、カウンタステア制御を行うとともに、カウンタステア信号を前記後輪トー角制御手段に出力し、前記後輪トー角制御手段は、前記カウンタステアが入力された場合、前記ヨーレートのゲインを増幅させるとともに、前記指示トー角の設定ゲインを減少させるように構成されている。
【０００９】
本装置は、カウンタステア信号が入力されたときに、状況に応じては後輪を前輪の逆位相に操舵せず、ヨーレートのゲインを増幅させるとともに、指示トー角の設定ゲインを減少させる。前記構成によれば、自動カウンタステア制御の信号が検出されたときに、前輪がカウンタステア方向に操舵されていない状態でカウンタステアに対応する後輪舵角制御が実行された場合であっても、車両のスピンを抑制することができる。
【発明の効果】
【００１０】
本発明によれば、車両に備えられたアクティブフロントステア装置が車両の旋回中に旋回方向と逆方向に前輪を操舵（カウンタステア）する制御をするときに車両を安定走行させるように後輪を操舵する制御装置を提供することができる。
【図面の簡単な説明】
【００１１】
【図１】本発明の一実施形態にかかる４輪自動車の概略構成図である。
【図２】本発明の一実施形態にかかる後輪操舵制御装置要部の概略構成を示す機能ブロック図である。
【図３】本発明の一実施形態にかかるアクティブフロントステア装置要部の概略構成を示す機能ブロック図である。
【図４】本発明の一実施形態にかかるカウンタステア制御における後輪操舵制御のフローチャートである。
【発明を実施するための形態】
【００１２】
以下、本発明にかかる後輪操舵制御装置を車両に適用した一実施形態について図面を参照して説明する。説明にあたり、車輪やそれらに対して配置された部材、すなわち、タイヤや電動アクチュエータ等については、それぞれ数字の符号に左右を示す添字ＬまたはＲを付して、例えば、後輪５Ｌ（左）、後輪５Ｒ（右）と記すとともに、総称する場合には、例えば、後輪５と記す。
【００１３】
図１は本実施形態に係る後輪操舵制御装置１０を適用した自動車Ｖの概略構成図である。車両Ｖは、タイヤ２Ｌ，２Ｒが装着された前輪３Ｌ，３Ｒと、タイヤ４Ｌ，４Ｒが装着された後輪５Ｌ，５Ｒとを備えており、これら前輪３Ｌ，３Ｒおよび後輪５Ｌ，５Ｒが、左右のフロントサスペンション６Ｌ，６Ｒおよびリヤサスペンション７Ｌ，７Ｒによってそれぞれ車体１に懸架されている。
【００１４】
また、車両Ｖには、ステアリングホイール８の操舵により、ラックアンドピニオン機構を介して左右の前輪３Ｌ，３Ｒを直接転舵する前輪操舵装置９と、左右のリヤサスペンション７Ｌ，７Ｒに対して設けられた左右のアクチュエータ１１Ｌ，１１Ｒを伸縮駆動することにより、後輪５Ｌ，５Ｒのトー角を個別に変化させる後輪操舵制御装置１０とが備わっている。ステアリングホイール８と前輪操舵装置９との間には、旋回中の車両の運動状態に応じて、車両の前輪を乗員のステアリング操作とは独立して操舵することも可能なアクティブフロントステア装置１８（Active Front Steer：以下「ＡＦＳ」と称する場合がある）が備えられている。なお、アクチュエータ１１Ｌ，１１Ｒは電動アクチュエータを適用することができる。
【００１５】
車両Ｖには、各種システムを統括制御するＥＣＵ（Electronic Control Unit）１２を備え、車速センサ１３や、ステアリング舵角センサ１４、ヨーレートセンサ１５、横加速度センサ１６、前輪舵角センサ１９等、図示しない種々のセンサが設置されており、各センサの検出信号はＥＣＵ１２に入力されて車両の制御に供される。なお、ステアリング舵角センサ１４はステアリングホイール８の操舵量を検出する。横加速度センサ１６は車両の左右方向に作用する加速度を検出する。前輪舵角センサ１９は、前輪３の転舵角を検出する。ここで、これらのセンサおよび後記するトー角センサ等は、車両の挙動にかかる車両状態量を検出する状態量検出手段を構成している。
【００１６】
ＥＣＵ１２は、マイクロコンピュータやＲＯＭ、ＲＡＭ、周辺回路、入出力インタフェース、各種ドライバ等から構成されており、通信回線を介して各センサ１３〜１６，１９等や、アクチュエータ１１と接続されている。ＥＣＵ１２は、各センサ１３〜１６，１９等の検出結果に基づいて後輪トー角を算出し、各アクチュエータ１１Ｌ，１１Ｒの変位量を決定した上で後輪５のトー角制御を実行する。
【００１７】
各アクチュエータ１１Ｌ，１１Ｒには、出力ロッドのストローク位置を検出するトー角センサ１７Ｌ，１７Ｒがそれぞれ設置されている。トー角センサ１７Ｌ，１７Ｒの信号がＥＣＵ１２に入力することで、各アクチュエータ１１Ｌ，１１Ｒのフィードバック制御が行われる。これにより、各アクチュエータ１１Ｌ，１１Ｒは、ＥＣＵ１２によって決定された所定量だけ伸縮動し、後輪５Ｌ，５Ｒのトー角を正確に変化させる。
【００１８】
このように構成された車両Ｖによれば、左右のアクチュエータ１１Ｌ，１１Ｒを同時に対称的に変位させることにより、両後輪５Ｌ，５Ｒのトーイン／トーアウトを適宜な条件の下に自由に制御することができる他、左右のアクチュエータ１１Ｌ，１１Ｒの一方を伸ばして他方を縮めれば、両後輪５Ｌ，５Ｒを左右に転舵することも可能である。例えば、車両Ｖは、各種センサによって把握される車両の運動状態に基づき、加速時に後輪５をトーアウトに、制動時に後輪５をトーインに変化させ、高速旋回走行時に後輪５を前輪舵角と同相に、低速旋回走行時に後輪５を前輪舵角と逆相にトー角制御（転舵）して、操縦性を高めるべく後輪トー角制御を行う。
【００１９】
次に図２，３を参照して、本実施形態の機能について説明する。図２は、本実施形態にかかる後輪操舵制御装置要部の概略構成を示す機能ブロック図である。図３は本実施形態にかかるアクティブフロントステア装置要部の概略構成を示す機能ブロック図である。本実施形態の後輪操舵制御装置およびアクティブフロントステア装置の制御は、ＥＣＵ１２によって実現できる。
【００２０】
ＥＣＵ１２は、一種のコンピュータであり、演算を実行するプロセッサ（ＣＰＵ）、各種データを一時記憶する記憶領域およびプロセッサによる演算の作業領域を提供するランダム・アクセス・メモリ（ＲＡＭ）、プロセッサが実行するプログラムおよび演算に使用する各種のデータが予め格納されている読み出し専用メモリ（ＲＯＭ）、およびプロセッサによる演算の結果およびエンジン系統の各部から得られたデータのうち保存しておくものを格納する書き換え可能な不揮発性メモリを備えている。不揮発性メモリは、システム停止後も常時電圧供給されるバックアップ機能付きＲＡＭで実現することができる。
【００２１】
図２を参照すると、ＥＣＵ１２の後輪トー角設定部１２０は、車速センサ１３や、ヨーレートセンサ１５、前輪舵角センサ１９、筒内圧センサ（図示せず）等から車両状態量を取得して算出もしくは推定されたエンジントルク、トランスミッションのギヤ比等に基づいて左右後輪５Ｌ，５Ｒの駆動力の推定を行い、この後輪駆動力の推定結果と横加速度センサ１６の検出結果とから、指示トー角ｋ２×θＤＴを設定する。ｋ２は係数であり、その内容は後記する。
【００２２】
ＥＣＵ１２は、指示トー角ｋ２×θＤＴから、アクチュエータ１１に配設されたトー角センサ１７によって検知され、入力インタフェース（図示せず）を介して、ＥＣＵ１２に送出された実トー角θＴＲを減算して偏差ｅが算出される。偏差ｅはＦＢ制御器１２３に入力され、ＦＢ制御器１２４はこの偏差を解消する向きにアクチュエータ１１を駆動するための駆動信号を出力インタフェース（図示せず）を介して発生する。
【００２３】
後輪トー角設定部１２０は、車両の運動状態量から指示トー角を演算する後輪トー角算出部１２２と、カウンタステア信号が入力されたときに、検出されたヨーレートのゲインを増幅させるヨーレートゲイン調整部１２１と、指示トー角の設定ゲインを減少させるトー角ゲイン調整部１２３とを備えている。カウンタステア信号とは、後記するカウンタステア制御部１３０（図３参照）から出力される制御ゲインであり、車両Ｖの運動状態量に応じて、アクティブフロントステア装置によって前輪をカウンタステア方向に操舵する制御量である。
【００２４】
詳しく説明すると、ヨーレートゲイン調整部１２１は、カウンタステア信号である制御ゲインに応じた係数ｋ１を設定し、この係数ｋ１をヨーレートセンサ１５が検出したヨーレートγに乗じたｋ１×γを後輪トー角算出部１２２へ出力する。係数ｋ１はヨーレートのゲインを増幅するための係数である。また、トー角ゲイン調整部１２３は、カウンタステア信号である制御ゲインに応じた係数ｋ２を設定し、この係数ｋ２を後輪トー角算出部１２２が算出した指示トー角θＤＴに乗じたｋ２×θＤＴをトー角制御量として算出する。係数ｋ２は指示トー角θＤＴの設定ゲインを減少するための係数である。
【００２５】
次に、図３を参照してアクティブフロントステアのカウンタステア制御について説明する。ＥＣＵ１２のカウンタ制御部１３０は、カウンタステア演算部１３１と、比較器１３２と、制御量演算部１３３とから構成されている。カウンタステア演算部１３１は、車速センサ１３や、ヨーレートセンサ１５、横加速度センサ１６等の運動状態量の信号をＥＣＵ１２の入力インタフェース（図示せず）を介して取得し、これらの運動状態量に基づきカウンタステア舵角θＳＡを算出する。算出されたカウンタステア舵角θＳＡは、比較器１３２において前輪舵角センサ１４によって検出された乗員が操作するステアリング舵角θＳＤと比較される。両者が異なる場合、後記プロセスで説明するように制御量演算部１３３はカウンタステアの制御ゲインを算出する。
【００２６】
ＥＣＵ１２は、制御量演算部１３３が算出した制御ゲインとなる舵角θＳＣから、アクティブフロントステア装置１８が操作する前輪操舵装置９に配設された前輪舵角センサ１９によって検知され、入力インタフェース（図示せず）を介して、ＥＣＵ１２に送出された実際の前輪舵角θＳＲを減算して偏差ｅが算出される。偏差ｅはＡＦＳＦＢ制御器１３４に入力され、ＡＦＳＦＢ制御器１３４はこの偏差を解消する向きにアクティブフロントステア装置１８を操作するための操作信号を出力インタフェース（図示せず）を介して発生する。
【００２７】
一方、カウンタ制御部１３０が算出したカウンタステアの制御ゲインは、前記したヨーレートゲイン調整部１２１とトー角ゲイン調整部１２３へ送出される（図２参照）。
【００２８】
次に、図２〜図４を参照して、本実施形態における制御プロセスの一例を説明する。図４は、本実施形態にかかるカウンタステア制御における後輪操舵制御にかかる係数ｋ１，ｋ２を設定するためのフローチャートである。図４を参照すると、ＥＣＵ１２のカウンタステア制御部１３０は、車速センサ１３や、ヨーレートセンサ１５、横加速度センサ１６等の運動状態量の信号を取得し（ステップＳ１０１）、これらの運動状態量に基づき舵角θＳＣを算出する。
【００２９】
算出された舵角θＳＣと乗員が操作するステアリング舵角θＳＤに基づいて、車両が旋回中に旋回方向と逆方向に前輪が操舵されるカウンタステアか否かが判定される（ステップＳ１０２）。運転者の操舵量に基づくステアリング舵角（基本前輪舵角）と車両の運動状態量に基づいて算出された舵角（目標前輪舵角）とが一致しない場合、カウンタステア制御が行われる。カウンタステアでは無い場合（ステップＳ１０２：ＮＯ）、係数ｋ１，ｋ２はともに１に設定され（ステップＳ１０７，Ｓ１０８）、本プロセスは終了される。
【００３０】
舵角がカウンタステアと判定された場合（ステップＳ１０２：ＹＥＳ）、カウンタステアの制御量であるカウンタステア信号が、ヨーレートゲイン調整部１２１に送出される。ヨーレートゲイン調整部１２１は、カウンタステア信号である制御ゲインに応じて、例えば、予め設定されＥＣＵ１２のメモリに格納されたマップＭＡＰ１（ステップＳ１０４）を参照して、係数ｋ１を設定する（ステップＳ１０３）。
【００３１】
カウンタステア信号は、トー角ゲイン調整部１２３にも送出され、トー角ゲイン調整部１２３は、カウンタステア信号である制御ゲインに応じて、例えば、予め設定されＥＣＵ１２のメモリに格納されたマップＭＡＰ２（ステップＳ１０６）を参照して、係数ｋ２を設定して（ステップＳ１０５）、プロセスは終了される。設定された係数ｋ１，ｋ２は図２に示すように、それぞれ、ヨーレートゲインの増幅および指示トー角ゲインの減少の比例係数として、観測量、制御量に乗算される。
【００３２】
前記のように従来技術では、カウンタ制御が実行されたという信号に基づいて、後輪を前輪と逆位相に操舵している。しかし、カウンタステア制御が行われた場合であって、カウンタステア制御中に乗員がステアリングを操舵したとき前輪がカウンタステアとなる逆位相に操舵されない場合がある。後輪操舵制御におけるヨーレートのフィードバック制御は、ヨーレートの発生方向とは逆方向に後輪を操舵するため、規範となる舵角に対して大きな差が発生して大きな制御量が必要となるが、車両の安全走行の観点から制御量を大きくできなかった。
【００３３】
一方、本実施形態の構成においては、カウンタ制御の制御量に応じて、ヨーレートのゲインの増幅および前記指示トー角の設定ゲインの減少を実行するため、前輪がカウンタステアとなる逆位相に操舵されない場合であっても、車両の安定な走行を実現させることができる。
【００３４】
以上、本発明の実施の形態について説明したが、本発明はこのような実施形態に限定されることはなく、本発明の趣旨を逸脱しない範囲において改変して用いることができる。
【符号の説明】
【００３５】
Ｖ      自動車
１      車体
３      前輪
５      後輪
６      フロントサスペンション
７      リアサスペンション
１０    後輪トー角制御装置
１１    アクチュエータ
１２    ＥＣＵ
１３    車速センサ
１４    前輪舵角センサ
１５    ヨーレートセンサ
１６    横加速度センサ
１７    トー角センサ
１８    アクティブフロントステア装置
１２０  後輪トー角設定部
１２１  ヨーレートゲイン調整部
１２２  指示トー角算出部
１２３  トー角ゲイン調整部
１２４  ＦＢ制御器
１３０  カウンタステア制御部
１３１  カウンタステア演算部
１３２  比較器
１３３  制御量演算部
１３４  ＡＦＳＦＢ制御器
【図１】
2010234821.tif 000003
【図２】
2010234821.tif 000004
【図３】
2010234821.tif 000005
【図４】
2010234821.tif 000006